(57)【要約】【課題】  ポケットまで水が浸かっても、ポケット内の釣り道具や貴重品等が浸水され、濡れることを防止できるフローティングベストを提供する。【解決手段】  物を収納するためのポケット５ａを備え、当該ポケット５ａの底部に水抜き孔１３が形成された釣用のフローティングベストにおいて、前記ポケット５ａ内に、防水素材からなる袋体１０が着脱可能に備わる。これにより、この袋体１０に釣り道具や貴重品等を入れておけば、ポケット５ａまで水に浸かってウェーディングをしている場合でも、ポケット５ａ内の釣り道具や貴重品等はこの袋体で防水されるので、濡れることはない。また、袋体１０はポケット５ａから着脱可能に取り付けられるので、袋体１０のみの携帯や、あるいは交換が可能であるので、取り扱い性がよく、利便性が向上する。【選択図】        図４
0003140257.tif 000002
【実用新案登録請求の範囲】
【請求項１】
物を収納するためのポケットを備え、
当該ポケットの底部に水抜き孔が形成された釣用のフローティングベストにおいて、
前記ポケット内に、防水素材からなる袋体が着脱可能に備わることを特徴とするフローティングベスト。
【請求項２】
前記袋体の高さは、前記ポケットの内面の高さより短く、前記袋体は、前記ポケット内の上部に備わることを特徴とする請求項１に記載のフローティングベスト。
【請求項３】
前記袋体は、前記ポケットの身体側の面及びこれと対向する面の両面に対して面ファスナーにより取り付けられ、
前記袋体の上面は開口していることを特徴とする請求項１又は２に記載のフローティングベスト。
【請求項４】
前記袋体は、開口部が折り畳み可能であり、折り畳んだ状態で前記ポケットに面ファスナーを介して着脱可能に取り付けられることを特徴とする請求項１又は２に記載のフローティングベスト。
【考案の詳細な説明】
【技術分野】
【０００１】
この考案は、釣行の際に着るフローティングベストに関するものである。
【背景技術】
【０００２】
従来、防水の釣り用ズボンであるウェーダーをはいてウェーディングをする際、ある程度の深さまで行くとフローティングベストまで浸かる。フローティングベストには物を収納するためのポケットが複数個備わり、ベスト装着者はこのポケット内に釣り道具等を収納している。上述したように、フローティングベストまで浸かってウェーディングをしていると、このポケット内に浸水することがある。このため、ポケットの底部には、水抜きのための水抜き孔が形成され、ポケットに浸水した水を排水している。
【０００３】
しかしながら、底部に水抜き孔が形成されると、ポケット下側が水に浸かっただけで、この水抜き孔からポケット内に浸水することになる。ポケットの中には、通常、ルアーを収容したルアーケース等の釣り道具、あるいは電子機器や貴重品等の物が収納されている。ポケット内が浸水した場合、収納しているものが釣り道具であれば、錆等が生じ、腐食され、釣り道具が劣化するおそれがある。したがって、フローティングベストのポケット内は可能な限り防水構造とすることが好ましい。
【０００４】
一方で、釣り用ベストが特許文献１に開示されている。この釣り用ベストは、ポケット内面に磁石板を貼り付け、これに釣り針を取り付けたものである。しかしながら、このポケットが水に浸かった場合に、ポケット内に収容された釣り針も同時に濡れてしまい、やはり釣り針に錆が生じることになってしまう。
【０００５】
【特許文献１】実開平６−５４７１４号公報
【考案の開示】
【考案が解決しようとする課題】
【０００６】
この考案は上記従来技術を考慮したものであって、ポケットまで水が浸かっても、ポケット内の釣り道具や貴重品等が浸水され、濡れることを防止できるフローティングベストの提供を目的とするものである。
【課題を解決するための手段】
【０００７】
前記目的を達成するため、請求項１の考案では、物を収納するためのポケットを備え、当該ポケットの底部に水抜き孔が形成された釣用のフローティングベストにおいて、前記ポケット内に、防水素材からなる袋体が着脱可能に備わることを特徴とするフローティングベストを提供する。
【０００８】
請求項２の考案では、前記袋体の高さは、前記ポケットの内面の高さより短く、前記袋体は、前記ポケット内の上部に備わることを特徴としている。
【０００９】
請求項３の考案では、前記袋体は、前記ポケットの身体側の面及びこれと対向する面の両面に対して面ファスナーにより取り付けられ、前記袋体の上面は開口していることを特徴としている。
【００１０】
また、請求項４の考案では、前記袋体は、開口部が折り畳み可能であり、折り畳んだ状態で前記ポケットに面ファスナーを介して着脱可能に取り付けられることを特徴としている。
【考案の効果】
【００１１】
請求項１の考案によれば、ポケット内に防水素材からなる袋体が備わるため、この袋体に釣り道具や貴重品等を入れておけば、ポケットまで水に浸かってウェーディングをしている場合でも、ポケット内の釣り道具や貴重品等はこの袋体で防水されるので、濡れることはない。また、袋体はポケットから着脱可能に取り付けられるので、袋体のみの携帯や、あるいは交換が可能であるので、取り扱い性がよく、利便性が向上する。
【００１２】
請求項２の考案によれば、袋体の高さがポケットの内面の高さより短く、また袋体がポケット内の上部に備わるため、袋体をポケットに収納した状態で袋体下側にスペースが設けられ、ここに物を収納できる。したがって、ポケット内の空間を有効に利用でき、ポケットの収納性を向上させることができる。
【００１３】
請求項３の考案によれば、ポケットの身体側の面及びこれと対向する面の両面に対して面ファスナーにより袋体が取り付けられ、また袋体の上面が開口している。これにより、ベスト着用者がポケットの外面をつかんで外方に開くと同時に、袋体も開く。このため、袋体の中身が取り出し、又は収納しやすくなり、取り扱い性が向上する。
【００１４】
請求項４の考案によれば、袋体の開口部が折り畳み可能であり、折り畳んだ状態でポケット内に取り付けられる。このため、ポケットの全体が水に浸かった場合でも、折り畳んだ開口部からは水が浸水しにくく、袋体の中に収納した釣り道具や貴重品が水に濡れることを防止することができる。
【考案を実施するための最良の形態】
【００１５】
この考案は、物を収納するためのポケットを備え、当該ポケットの底部に水抜き孔が形成された釣用のフローティングベストにおいて、前記ポケット内に、防水素材からなる袋体が着脱可能に備わり、中に収納した釣り道具等の防水性を図ったフローティングベストである。
【実施例】
【００１６】
図１はこの考案に係るフローティングベストの（Ａ）は正面図、（Ｂ）は背面図である。
【００１７】
図示したように、フローティングベスト１は、前面の前身ごろ２と後面の後身ごろ３、及びこれらの間の肩掛け部４で構成される。前身ごろ２及び後身ごろ３には、それぞれ物を収納するためのポケット５ａ，５ｂが備わる。ポケット５ａ，５ｂは、それぞれファスナー９により開閉される。ポケット５ａ，５ｂの底部には、水が浸水したときにこれを排水するための水抜き孔１３（図４、図７参照）が形成される。また、前身ごろ２には、種々の釣り道具等を収納するための収納部６が備わる。フローティングベスト１の利用者は、前身ごろ２と肩掛け部４の間のベルト７と、前身ごろ２と後身ごろ３の間の利用者のわき腹当たりに位置するベルト８、及びベスト１の下側に備わる股ベルト１５により、自分の身体に合わせて調節して装着する。
【００１８】
図２は前身ごろに備わるポケットの概略斜視図であり、図３はこのポケットに取り付ける袋体の概略斜視図、図４は前身ごろに備わるポケットに袋体を取り付けた状態を示す断面図である。
【００１９】
図３に示すように、袋体１０は、上面が開口し、その外観形状はポケット５ａ（図２参照）の内面に沿うようにして形成される。すなわち、袋体１０の幅Ｗは、ポケット５ａの内面の幅と略同一であり、袋体１０の厚さＴは、ポケット５ａの内面の厚さと略同一である。袋体１０の高さＨは、ポケット５ａの内面の高さに収まるように設定される（図２の点線程度の高さ）。ポケット５ａと袋体１０は、図４に示すように、面ファスナー１１で接合される。これにより、袋体１０は、ポケット５ａから着脱可能に取り付けられる。したがって、袋体１０のみの携帯や、あるいは交換が可能であるので、取り扱い性がよく、利便性が向上する。
【００２０】
ポケット５ａに釣り道具等の物を収納する場合は、袋体１０に物を収納し、この袋体１０をポケット５ａ内に収納する。袋体１０は、例えば塩化ビニル（ＰＶＣ）等の防水素材で形成されるので、水分を通さない。したがって、フローティングベスト１を着てウェーディングをしている場合、ポケット５ａまで水が浸かってポケット底部に形成された水抜き孔１３（図４参照）から浸水しても、袋体１０内に収納された物は袋体１０で防水されるので、濡れることはない。
【００２１】
面ファスナー１１は、ポケット５ａ内面の身体側の面及びこれと対向する面に取り付けられる。袋体１０側の面ファスナー１１は、これに対応する位置に取り付けられる。したがって、ベスト着用者がポケット５ａの外面をつかんで外方に開くと同時に、袋体１０の開口部１２も開く。このため、袋体１０の中身が取り出し、又は収納しやすくなり、取り扱い性が向上する。
【００２２】
図５は後身ごろに備わるポケットの概略斜視図であり、図６はこのポケットに取り付けた状態の袋体の概略正面図、図７は同じくポケットに取り付けた状態を示す断面図である。
【００２３】
図６に示すように、袋体１０は、開口部となる上側が、折り畳まれて、面ファスナー１１によりポケット５ｂの身体側の内面１４に取り付けられる。このため、ポケット５ｂの全体が水に浸かった場合でも、折り畳んだ袋体１０の開口部からは水が浸水しにくく、袋体１０の中に収納した釣り道具や貴重品が水に濡れることを防止することができる。特に、全体が水に浸かっても浸水を免れる可能性が高いため、電子機器等を収納するのに適している。また、折り畳まれた状態で袋体１０のみの形態が可能であるため、釣行時以外に通常の収納袋としても使用できる。なお、この袋体１０の折り畳み部分にも、面ファスナー（図示省略）が取り付けられ、折り畳みが容易に開放されないようにしている。
【００２４】
図７に示すように、袋体１０をポケット５ｂに収納した状態で、袋体１０の高さｈは、ポケット５ｂの内面の高さＨよりも短く設定される。このようにして、面ファスナー１１をポケット５ｂの上部に形成すれば、ポケット５ｂ内において、袋体１０の下側にスペースＱが設けられる。したがって、ここにも物を収納することができ、ポケット５ｂ内の空間を有効に利用でき、ポケット５ｂの収納性を向上させることができる。袋体１０の材質は、図２〜図４の例で示したものと同様に、ポリ塩化ビニル等の防水素材で形成される。その他の構成、作用、効果は、図２〜図４で示したものと同様である。
【図面の簡単な説明】
【００２５】
【図１】この考案に係るフローティングベストの（Ａ）は正面図、（Ｂ）は背面図である。
【図２】前身ごろに備わるポケットの概略斜視図である。
【図３】ポケットに取り付ける袋体の概略斜視図である。
【図４】前身ごろに備わるポケットに袋体を取り付けた状態を示す断面図である。
【図５】後身ごろに備わるポケットの概略斜視図である。
【図６】ポケットに取り付けた状態の袋体の概略正面図である。
【図７】袋体をポケットに取り付けた状態を示す断面図である。
【符号の説明】
【００２６】
１：フローティングベスト、２：前身ごろ、３：後身ごろ、４：肩掛け部、５ａ，５ｂ：ポケット、６：収納部、７：ベルト、８：ベルト、９：ファスナー、１０：袋体、１１：面ファスナー、１２：開口部、１３：水抜き孔、１４：ポケットの身体側の内面、１５：股ベルト
【図１】
0003140257.tif 000003
【図２】
0003140257.tif 000004
【図３】
0003140257.tif 000005
【図４】
0003140257.tif 000006
【図５】
0003140257.tif 000007
【図６】
0003140257.tif 000008
【図７】
0003140257.tif 000009
【手続補正書】
【提出日】平成20年1月8日(2008.1.8)
【手続補正１】
【補正対象書類名】図面
【補正対象項目名】図１
【補正方法】変更
【補正の内容】
【図１】
0003140257.tif 000010